(57)【要約】【課題】コンテンツデータ蓄積装置において、複数のクライアント装置におけるコンテンツデータを、ユーザの好み等に応じて個別に更新することを可能とする。【解決手段】メモリカード１０５のコンテンツデータは、当該コンテンツデータを管理するためのクライアントコンテンツ管理情報と、前記コンテンツデータを管理単位で特定するためのクライアントコンテンツ特定情報と対応付けて記憶されている。制御部１０３は、入出力部１０４にメモリカード１０５が接続されたときに、このメモリカード１０５に記憶されているクライアントコンテンツ特定情報が、ハードディスク１０２に記憶されている蓄積コンテンツ特定情報のいずれかと一致した場合に、その蓄積コンテンツ特定情報が特定する管理単位に含まれるコンテンツデータに基づいて、メモリカード１０５のコンテンツデータを更新する。【選択図】図１
2008077820.tif 000002
【特許請求の範囲】
【請求項１】
コンテンツデータを蓄積し、蓄積したコンテンツデータに基づいてクライアント装置のコンテンツデータを更新するコンテンツデータ蓄積装置であって、
コンテンツデータと、前記コンテンツデータの集合をそれぞれ管理するための蓄積コンテンツ管理情報と、前記コンテンツデータを管理単位で特定するための蓄積コンテンツ特定情報とを対応付けて、複数組記憶することが可能な蓄積コンテンツ記憶媒体と、
前記クライアント装置との間でデータ入出力を行う入出力部と、
前記クライアント装置のコンテンツデータの更新を行う制御部とを備え、
前記クライアント装置のコンテンツデータは、当該クライアント装置において、当該コンテンツデータを管理するためのクライアントコンテンツ管理情報と、前記コンテンツデータを管理単位で特定するためのクライアントコンテンツ特定情報と対応付けて記憶されており、
前記制御部が、前記入出力部に接続されたクライアント装置のコンテンツデータのうち更新対象として指定された一または複数の管理単位のコンテンツデータのクライアントコンテンツ特定情報を取得し、取得されたクライアントコンテンツ特定情報と一致する蓄積コンテンツ特定情報が前記蓄積コンテンツ記憶媒体に記憶されている場合に、当該クライアントコンテンツ特定情報と一致した蓄積コンテンツ特定情報が特定する管理単位に含まれるコンテンツデータに基づいて、前記クライアント装置のコンテンツデータを更新することを特徴とするコンテンツデータ蓄積装置。
【請求項２】
クライアント装置のコンテンツデータのうち更新対象として指定された一または複数の管理単位のコンテンツデータのクライアントコンテンツ特定情報を含む更新情報が、前記クライアント装置に保持され、
前記制御部は、前記入出力部に接続されたクライアント装置から、前記入出力部を介して、前記更新情報に含まれるクライアントコンテンツ特定情報を取得する、請求項１に記載のコンテンツデータ蓄積装置。
【請求項３】
クライアント装置のコンテンツデータのうち更新対象として指定された一または複数の管理単位のコンテンツデータのクライアントコンテンツ特定情報と、当該コンテンツデータを利用するクライアント装置固有の識別子とを含む更新情報を記憶する更新情報記憶部をさらに備え、
前記制御部は、前記入出力部に接続されたクライアント装置から、前記入出力部を介して、当該クライアント装置の識別子を取得し、取得した識別子に対応するクライアントコンテンツ特定情報を前記更新情報記憶部から取得する、請求項１に記載のコンテンツデータ蓄積装置。
【請求項４】
前記更新情報が、更新対象として指定された一または複数の管理単位のコンテンツデータの更新条件をさらに含み、
前記制御部が、前記クライアントコンテンツ特定情報と一致した蓄積コンテンツ特定情報が特定する管理単位に含まれるコンテンツデータと、前記更新条件とに基づいて、前記クライアント装置のコンテンツデータを更新する、請求項２または３に記載のコンテンツデータ蓄積装置。
【請求項５】
前記更新情報を利用者に設定させるための操作入力部をさらに備える、請求項１〜４のいずれか一項に記載のコンテンツデータ蓄積装置。
【請求項６】
更新対象のコンテンツデータとして複数の管理単位のコンテンツデータが指定されている場合、前記制御部が、前記複数の管理単位のコンテンツデータのクライアントコンテンツ特定情報に一致する蓄積コンテンツ特定情報が特定する複数の管理単位のコンテンツデータの和集合に基づいて、前記クライアント装置のコンテンツデータを更新する、請求項１〜５のいずれか一項に記載のコンテンツデータ蓄積装置。
【請求項７】
更新対象のコンテンツデータとして複数の管理単位のコンテンツデータが指定されている場合、前記制御部が、前記複数の管理単位のコンテンツデータのクライアントコンテンツ特定情報に一致する蓄積コンテンツ特定情報が特定する複数の管理単位のコンテンツデータの積集合に基づいて、前記クライアント装置のコンテンツデータを更新する、請求項１〜５のいずれか一項に記載のコンテンツデータ蓄積装置。
【請求項８】
前記クライアントコンテンツ管理情報には含まれるが前記蓄積コンテンツ管理情報に含まれないコンテンツデータであって、かつ、前記蓄積コンテンツ記憶媒体に記憶されていないコンテンツデータが存在する場合は、前記制御部が、当該コンテンツデータを前記クライアント装置から削除せずに維持する、請求項１に記載のコンテンツデータ蓄積装置。
【請求項９】
コンテンツデータを利用するクライアント装置と、蓄積したコンテンツデータに基づいて前記クライアント装置のコンテンツデータを更新するコンテンツデータ蓄積装置とを含むコンテンツデータ更新システムであって、
前記コンテンツデータ蓄積装置は、
コンテンツデータと、前記コンテンツデータの集合をそれぞれ管理するための蓄積コンテンツ管理情報と、前記コンテンツデータを管理単位で特定するための蓄積コンテンツ特定情報とを対応付けて、複数組記憶することが可能な蓄積コンテンツ記憶媒体と、
前記クライアント装置との間でデータ入出力を行う入出力部と、
前記クライアント装置のコンテンツデータの更新を行う制御部とを備え、
前記クライアント装置は、
当該クライアント装置で利用するコンテンツデータと、当該コンテンツデータを管理するためのクライアントコンテンツ管理情報と、前記コンテンツデータを管理単位で特定するためのクライアントコンテンツ特定情報とを対応付けて記憶するクライアントコンテンツ記憶媒体を備え、
前記コンテンツデータ蓄積装置の制御部が、前記入出力部に接続されたクライアント装置のコンテンツデータのうち更新対象として指定された一または複数の管理単位のコンテンツデータのクライアントコンテンツ特定情報を取得し、取得されたクライアントコンテンツ特定情報と一致する蓄積コンテンツ特定情報が前記蓄積コンテンツ記憶媒体に記憶されている場合に、当該クライアントコンテンツ特定情報と一致した蓄積コンテンツ特定情報が特定する管理単位に含まれるコンテンツデータに基づいて、前記クライアント装置のコンテンツデータを更新することを特徴とするコンテンツデータ更新システム。
【発明の詳細な説明】
【技術分野】
【０００１】
本発明は、蓄積したコンテンツデータからコンテンツを選択し、メモリカードや外部メモリなどのコンテンツデータを簡単に書き換えることのできるコンテンツデータ蓄積装置と、これを利用したコンテンツデータ更新システムに関するものである。
【背景技術】
【０００２】
従来のコンテンツデータ更新システムは、選択したプレイリストの情報を保持し、その情報に基づき、メモリカードやハードディスクや半導体メモリを内蔵した携帯オーディオプレイヤーなどのコンテンツデータを更新している（例えば、特許文献１参照）。
【特許文献１】特表２００５−５３３３３３号公報
【発明の開示】
【発明が解決しようとする課題】
【０００３】
しかしながら、前記従来の構成では、プレイリストを更新するための情報をコンテンツデータ蓄積装置であるホストオーディオ上に１種類のみ保持しているため、複数のメモリカードや外部メモリに対して個別の更新の設定をすることができず、例えばホストオーディオを家族で共用している場合に、家族それぞれの好みに応じてメモリカードや外部メモリを個別に更新することができないという課題を有していた。
【０００４】
本発明は、上記の課題を鑑み、１台のコンテンツデータ蓄積装置によって、複数のクライアント装置におけるコンテンツデータを、個々のクライアント装置のユーザの好みに応じて個別に更新することが可能なコンテンツデータ蓄積装置およびこれを利用したコンテンツデータ更新システムを提供することを目的とする。
【課題を解決するための手段】
【０００５】
前記目的を達成するために、本発明にかかるコンテンツデータ蓄積装置は、コンテンツデータを蓄積し、蓄積したコンテンツデータに基づいてクライアント装置のコンテンツデータを更新するコンテンツデータ蓄積装置であって、コンテンツデータと、前記コンテンツデータの集合をそれぞれ管理するための蓄積コンテンツ管理情報と、前記コンテンツデータを管理単位で特定するための蓄積コンテンツ特定情報とを対応付けて、複数組記憶することが可能な蓄積コンテンツ記憶媒体と、前記クライアント装置との間でデータ入出力を行う入出力部と、前記クライアント装置のコンテンツデータの更新を行う制御部とを備え、前記クライアント装置のコンテンツデータは、当該クライアント装置において、当該コンテンツデータを管理するためのクライアントコンテンツ管理情報と、前記コンテンツデータを管理単位で特定するためのクライアントコンテンツ特定情報と対応付けて記憶されており、前記制御部が、前記入出力部に接続されたクライアント装置のコンテンツデータのうち更新対象として指定された一または複数の管理単位のコンテンツデータのクライアントコンテンツ特定情報を取得し、取得されたクライアントコンテンツ特定情報と一致する蓄積コンテンツ特定情報が前記蓄積コンテンツ記憶媒体に記憶されている場合に、当該クライアントコンテンツ特定情報と一致した蓄積コンテンツ特定情報が特定する管理単位に含まれるコンテンツデータに基づいて、前記クライアント装置のコンテンツデータを更新することを特徴とする。
【０００６】
上記の構成にかかる本発明のコンテンツデータ蓄積装置では、更新対象として指定された一または複数の管理単位のコンテンツデータのクライアントコンテンツ特定情報と一致した蓄積コンテンツ特定情報が特定する管理単位に含まれるコンテンツデータに基づいて、前記クライアント装置のコンテンツデータが更新される。これにより、クライアント装置毎に個別にコンテンツデータを更新することが可能となる。
【０００７】
また、上記の目的を達成するために、本発明にかかるコンテンツデータ更新システムは、コンテンツデータを利用するクライアント装置と、蓄積したコンテンツデータに基づいて前記クライアント装置のコンテンツデータを更新するコンテンツデータ蓄積装置とを含む。前記コンテンツデータ蓄積装置は、コンテンツデータと、前記コンテンツデータの集合をそれぞれ管理するための蓄積コンテンツ管理情報と、前記コンテンツデータを管理単位で特定するための蓄積コンテンツ特定情報とを対応付けて、複数組記憶することが可能な蓄積コンテンツ記憶媒体と、前記クライアント装置との間でデータ入出力を行う入出力部と、前記クライアント装置のコンテンツデータの更新を行う制御部とを備える。前記クライアント装置は、当該クライアント装置で利用するコンテンツデータと、当該コンテンツデータを管理するためのクライアントコンテンツ管理情報と、前記コンテンツデータを管理単位で特定するためのクライアントコンテンツ特定情報とを対応付けて記憶するクライアントコンテンツ記憶媒体を備え、前記コンテンツデータ蓄積装置の制御部が、前記入出力部に接続されたクライアント装置のコンテンツデータのうち更新対象として指定された一または複数の管理単位のコンテンツデータのクライアントコンテンツ特定情報を取得し、取得されたクライアントコンテンツ特定情報と一致する蓄積コンテンツ特定情報が前記蓄積コンテンツ記憶媒体に記憶されている場合に、当該クライアントコンテンツ特定情報と一致した蓄積コンテンツ特定情報が特定する管理単位に含まれるコンテンツデータに基づいて、前記クライアント装置のコンテンツデータを更新することを特徴とする。
【０００８】
上記の構成にかかる本発明のコンテンツデータ更新システムでは、更新対象として指定された一または複数の管理単位のコンテンツデータのクライアントコンテンツ特定情報と一致した蓄積コンテンツ特定情報が特定する管理単位に含まれるコンテンツデータに基づいて、前記クライアント装置のコンテンツデータが更新される。これにより、クライアント装置毎に個別にコンテンツデータを更新することが可能となる。
【発明の効果】
【０００９】
本発明によれば、１台のコンテンツデータ蓄積装置によって、複数のクライアント装置におけるコンテンツデータを、個々のクライアント装置のユーザの好み等に応じて個別に更新することが可能なコンテンツデータ蓄積装置およびこれを利用したコンテンツデータ更新システムを提供することができる。
【発明を実施するための最良の形態】
【００１０】
本発明にかかるコンテンツデータ蓄積装置において、クライアント装置のコンテンツデータのうち更新対象として指定された一または複数の管理単位のコンテンツデータのクライアントコンテンツ特定情報を含む更新情報が、前記クライアント装置に保持され、前記制御部は、前記入出力部に接続されたクライアント装置から、前記入出力部を介して、前記更新情報に含まれるクライアントコンテンツ特定情報を取得することが好ましい。あるいは、クライアント装置のコンテンツデータのうち更新対象として指定された一または複数の管理単位のコンテンツデータのクライアントコンテンツ特定情報と、当該コンテンツデータを利用するクライアント装置固有の識別子とを含む更新情報を記憶する更新情報記憶部をさらに備え、前記制御部は、前記入出力部に接続されたクライアント装置から、前記入出力部を介して、当該クライアント装置の識別子を取得し、取得した識別子に対応するクライアントコンテンツ特定情報を前記更新情報記憶部から取得する構成であっても良い。
【００１１】
また、本発明にかかるコンテンツデータ蓄積装置において、前記更新情報が、更新対象として指定された一または複数の管理単位のコンテンツデータの更新条件をさらに含み、前記制御部が、前記クライアントコンテンツ特定情報と一致した蓄積コンテンツ特定情報が特定する管理単位に含まれるコンテンツデータと、前記更新条件とに基づいて、前記クライアント装置のコンテンツデータを更新することが好ましい。これにより、コンテンツデータ蓄積装置に蓄積されているコンテンツデータのうち、設定された更新条件に合致する範囲のコンテンツデータのみを、クライアント装置のコンテンツデータに反映させることができる。この構成は、特に、コンテンツデータ蓄積装置へのコンテンツデータの蓄積が自動的に行われる場合に、ユーザの希望に応じたコンテンツデータのみをクライアント装置へ反映させるための手段等として有効である。
【００１２】
本発明にかかるコンテンツデータ蓄積装置において、前記更新情報を利用者に設定させるための操作入力部をさらに備えることが好ましい。更新情報の設定は、所定の選択肢から選択させることによって行って良いし、ユーザによる任意のテキストや数字等の入力によって行っても良い。
【００１３】
本発明にかかるコンテンツデータ蓄積装置において、更新対象のコンテンツデータとして複数の管理単位のコンテンツデータが指定されている場合、前記制御部が、前記複数の管理単位のコンテンツデータのクライアントコンテンツ特定情報に一致する蓄積コンテンツ特定情報が特定する複数の管理単位のコンテンツデータの和集合に基づいて、前記クライアント装置のコンテンツデータを更新するようにしても良い。あるいは、更新対象のコンテンツデータとして複数の管理単位のコンテンツデータが指定されている場合、前記制御部が、前記複数の管理単位のコンテンツデータのクライアントコンテンツ特定情報に一致する蓄積コンテンツ特定情報が特定する複数の管理単位のコンテンツデータの積集合に基づいて、前記クライアント装置のコンテンツデータを更新するようにしても良い。
【００１４】
本発明にかかるコンテンツデータ蓄積装置において、前記クライアントコンテンツ管理情報には含まれるが前記蓄積コンテンツ管理情報に含まれないコンテンツデータであって、かつ、前記蓄積コンテンツ記憶媒体に記憶されていないコンテンツデータが存在する場合は、前記制御部が、当該コンテンツデータを前記クライアント装置から削除せずに維持することが好ましい。この構成によれば、クライアント装置のみに存在する可能性があるコンテンツデータの消失を防止できる。
【００１５】
以下、本発明のより具体的な実施形態について、図面を参照しながら説明する。
【００１６】
図１は、本発明の一実施形態にかかるコンテンツデータ更新システムの構成を示すブロック図である。図１に示すコンテンツデータ更新システムは、コンテンツデータ蓄積装置１０１と、クライアント装置としてのメモリカード１０５から構成されている。コンテンツデータ蓄積装置１０１は、本実施形態においては、例えばミニコンポ（ｍｉｎｉｃｏｍｐｏｎｅｎｔ）のようなオーディオ機器である。クライアント装置としてのメモリカード１０５は、携帯オーディオプレイヤーの記憶媒体として用いられる。すなわち、図１に示すコンテンツデータ更新システムでは、ユーザは、コンテンツデータ蓄積装置１０１において、ＣＤ−ＲＯＭや、インターネット等を介して接続できる音楽配信サーバ等から、コンテンツを取得してハードディスク１０２に蓄積する。そして、当該ユーザが、携帯オーディオプレイヤーのメモリカード１０５を取り外してコンテンツデータ蓄積装置１０１へ挿入すると、ハードディスク１０２に蓄積されたコンテンツデータが、メモリカード１０５へ反映される仕組みになっている。
【００１７】
なお、本実施形態では、コンテンツデータが音楽データである例を示すが、コンテンツデータは音楽データに限定されない。例えば、写真、動画、電子ブック等を含む様々なコンテンツデータを更新するシステムに対して、本発明を適用可能である。
【００１８】
以下、本実施形態にかかるコンテンツデータ更新システムの構成および動作について、図面を参照しながら詳細に説明する。
【００１９】
コンテンツデータ蓄積装置１０１は、ハードディスク１０２、制御部１０３、入出力部１０４、ＣＤ−ＲＯＭドライブ１０６、信号処理部１０７、表示部１０８、操作部１０９、アンプ１１０、スピーカ１１１、および、ＬＡＮ制御部１１２を備えている。ハードディスク１０２、制御部１０３、入出力部１０４、ＣＤ−ＲＯＭドライブ１０６、信号処理部１０７、および、ＬＡＮ制御部１１２は、バス１１４を介して相互に接続されている。
【００２０】
制御部１０３は、ＣＤ−ＲＯＭドライブ１０６から読み出した音楽データをハードディスク１０２に蓄積する。制御部１０３は、表示部１０８に対する制御も行う。入出力部１０４は、メモリカード１０５に対するインタフェースとして、メモリカード１０５との間の入出力を制御する。操作部１０９は、外部からの操作情報を受け制御部１０３に伝える。
【００２１】
ＬＡＮ制御部１１２は、パーソナルコンピュータ１１３へアクセスし、パーソナルコンピュータ１１３内のコンテンツデータの読み込みを行う。また、ＬＡＮ制御部１１２は、パーソナルコンピュータ１１３を介さず、直接に外部のコンテンツサーバへアクセスし、ネットワーク（図示せず）を通してコンテンツデータをダウンロードすることも可能である。
【００２２】
信号処理部１０７は、ハードディスク１０２内のコンテンツデータや、ＣＤ−ＲＯＭドライブ１０６から読み出した音楽データの信号処理を行う。アンプ１１０は、信号処理部１０７で処理された信号を増幅してスピーカ１１１へ出力する。スピーカ１１１は、アンプ１１０で増幅された信号を音として出力する。
【００２３】
制御部１０３は、（１）メモリカード１０５内の更新対象コンテンツデータをユーザに指定させると共に、そのコンテンツデータを更新するための更新条件を設定する機能と、（２）更新条件に基づいてメモリカード１０５内の更新対象コンテンツデータの更新を実行する機能とを有する。このため、制御部１０３は、図２に示すように、上記（１）の機能を実現するための更新情報設定部２０４と、上記（２）の機能を実現するための更新実行部２０５とを備える。
【００２４】
なお、本実施形態では、コンテンツデータ蓄積装置１０１およびメモリカード１０５において、コンテンツデータとしての曲データは、プレイリスト（蓄積コンテンツ管理情報、クライアントコンテンツ管理情報）によって管理される。プレイリストは、ＣＤ−ＲＯＭ上、または音楽配信サーバ等からの配信時に、提供者によって例えばアルバム単位に編成されていることがある。また、ユーザは、コンテンツデータ蓄積装置１０１のハードディスク１０２に蓄積されている曲データを好みに応じて組み合わせることにより、プレイリストを自由に作成することもできる。さらに、ユーザは、作成したプレイリストに対して、操作部１０９を操作することによって、プレイリスト名（蓄積コンテンツ特定情報、クライアントコンテンツ特定情報）を任意に設定することも可能である。例えば、楽曲のジャンルを表す「クラシック」または「ロック」等のプレイリスト名を付けて、ジャンル別のプレイリストを作成しても良い。あるいは、シチュエーション別に、例えば、「目覚め」、「ジョギング」、「リラックス」等のプレイリスト名を付けたプレイリストを作成しても良い。あるいは、アーティスト別に、アーティスト名をプレイリスト名としたプレイリストを作成することもできる。さらに、家族でコンテンツデータ蓄積装置１０１を共用する場合は、他のメンバーのプレイリストと区別するために、プレイリスト名の一部に自分の名前等を入れても良い。プレイリストにおいては、プレイリスト中の曲データの再生順序を指定することもできる。
【００２５】
また、ハードディスク１０２の代わりに、大容量フラッシュメモリや、書き換え可能なＤＶＤ，ＢＤなどの記憶媒体を用いてもよい。また、図１および以下の説明においては、携帯オーディオプレイヤーから取り外されたメモリカード１０５がクライアント装置である例を説明するが、携帯オーディオプレイヤー本体を、クライアント装置としてコンテンツデータ蓄積装置１０１に接続する構成であってもよい。クライアント装置が接続される入出力部１０４は、接続されるべきクライアント装置の態様に応じて、メモリカードスロットや、ＵＳＢなどの接続インタフェースなどである。また、入出力部１０４とクライアント装置との接続は、無線接続であってもよい。
【００２６】
図２は、本実施形態におけるコンテンツデータ更新システムのデータ記憶領域を示すブロック図である。図２においては、クライアント装置として使用される複数のメモリカードを個々に識別するために、メモリカード１０５ａ，１０５ｂのように参照符号を付与した。コンテンツデータ蓄積装置１０１において、ハードディスク１０２内には、プレイリストデータを記憶するための領域であるプレイリストデータ領域２０２と、コンテンツデータを記憶するための領域であるコンテンツデータ領域２０３とが存在する。
【００２７】
一方、クライアント装置であるメモリカード１０５ａの半導体メモリ内には、更新情報記憶領域２０７ａと、プレイリストデータ領域２０８ａと、コンテンツデータ領域２０９ａとが存在する。更新情報記憶領域２０７ａは、「更新情報」として、更新対象プレイリストを特定するためのプレイリスト名と、更新情報設定部２０４によって設定された、更新対象コンテンツに関する更新条件（例えば、曲順オプションや再生時間オプション等）とを記憶する。プレイリストデータ領域２０８ａは、プレイリストデータを記憶するための領域である。コンテンツデータ領域２０９ａは、コンテンツデータを記憶するための領域である。メモリカード１０５ｂにも同様に、当該メモリカード１０５ｂ用の、更新情報記憶領域２０７ｂ、プレイリストデータ領域２０８ｂ、コンテンツデータ領域２０９ｂが存在する。
【００２８】
図３は、コンテンツデータ蓄積装置１０１の操作パネルの一例である。操作パネルは、電源スイッチ３０１、再生スイッチ３０５、再生停止スイッチ３０６など、オーディオ装置としての一般的な操作スイッチに加え、更新情報の設定状況や更新実行の進行状況などを表示するディスプレイ３０４、更新実行スイッチ３０２、更新情報設定スイッチ３０３が設けられている。なお、図３の操作パネルの構成はあくまでも一例である。例えば、ディスプレイ３０４がタッチパネルであり、タッチパネル内に上記の各種スイッチが設けられた構成であっても良い。
【００２９】
ここで、図１〜図３を用いて、コンテンツデータ更新の動作について説明する。ＣＤ−ＲＯＭドライブ１０６にＣＤ−ＲＯＭが装着されると、制御部１０３は、ＣＤ−ＲＯＭから読み出した音楽データ（コンテンツデータ）を、ハードディスク１０２のコンテンツデータ領域２０３に蓄積する。このとき、制御部１０３は、ＣＤ−ＲＯＭに登録されている情報またはユーザが操作部１０９から入力する情報に基づいて、ＣＤ−ＲＯＭから読み出した音楽データをグルーピングして管理するためのプレイリストデータを生成し、読み出した音楽データと関連づけてハードディスク１０２のプレイリストデータ領域２０２に蓄積する。
【００３０】
また、ＬＡＮ制御部１１２によって、パーソナルコンピュータ１１３内の音楽データをハードディスク１０２に読み込み、蓄積することもできる。このときも、音楽データおよびプレイリストデータは、それぞれ、コンテンツデータ蓄積装置１０１内のプレイリストデータ領域２０２およびコンテンツデータ領域２０３に記憶される。
【００３１】
ハードディスク１０２へのコンテンツデータの蓄積は、ＣＤ−ＲＯＭからの読み込みや、音楽配信サーバ等からのダウンロードなど、ユーザが手動で操作を行うことによってなされても良いが、音楽配信サーバ等からの自動配信などによって、ハードディスク１０２へのコンテンツデータの蓄積が自動的に行われる仕組みであってもよい。
【００３２】
ユーザが、メモリカード１０５ａに対して新たな更新情報を設定したい場合は、入出力部１０４にメモリカード１０５ａを装着して更新情報設定スイッチ３０３を操作すれば良い。その後、ユーザが、操作部１０９を介して更新情報の設定操作を行うと、ユーザが設定した更新情報が、更新情報設定部２０４によってメモリカード１０５ａの更新情報記憶領域２０７ａに書き込まれる。また、このとき、ユーザは、コンテンツデータ蓄積装置１０１に既に蓄積されているコンテンツデータのプレイリスト名の中から、メモリカード１０５ａに記憶すべきプレイリスト名を選択することが可能である。選択されたプレイリスト名は、更新対象プレイリスト名として、メモリカード１０５ａの更新情報記憶領域２０７ａに記憶される。なお、これらの動作の手順については、後に詳述する。
【００３３】
その後、ユーザが、入出力部１０４にメモリカード１０５ａを装着して更新実行スイッチ３０２を操作すると、更新実行部２０５は、メモリカード１０５ａの更新情報記憶領域２０７ａに記憶されている更新対象プレイリスト名と同じプレイリスト名が、コンテンツデータ蓄積装置１０１のプレイリストデータ領域２０２に存在するか否かを確認する。同じプレイリスト名があれば、更新実行部２０５は、そのプレイリストから、更新情報記憶領域２０７ａに記憶されている更新条件（後述）に従って、更新用のコンテンツデータを抽出し、メモリカード１０５ａのプレイリストデータ領域２０８ａとコンテンツデータ領域２０９ａとを更新する。
【００３４】
なお、上述の構成および動作については、メモリカード１０５ｂについても同様である。すなわち、ユーザが、入出力部１０４にメモリカード１０５ｂを装着して更新実行スイッチ３０２を操作すると、更新実行部２０５は、メモリカード１０５ｂの更新情報記憶領域２０７ｂに記憶されている更新対象プレイリスト名と同じプレイリスト名が、コンテンツデータ蓄積装置１０１のプレイリストデータ領域２０２に存在するか否かを確認する。同じプレイリスト名があれば、更新実行部２０５は、そのプレイリストから、更新情報記憶領域２０７ｂに記憶されている更新条件に従って、更新用のコンテンツデータを抽出し、メモリカード１０５ｂのプレイリストデータ領域２０８ｂとコンテンツデータ領域２０９ｂとを更新する。
【００３５】
従って、本実施形態にかかるコンテンツデータ更新システムによれば、複数のメモリカード１０５ａ，１０５ｂのそれぞれについて、ユーザが更新情報の設定を行うことにより、コンテンツデータ蓄積装置１０１の更新実行部２０５が、更新情報記憶領域２０７ｂに記憶されている更新情報に基づいて、各メモリカードがどのプレイリストを更新対象とするかを判別できる。例えば、メモリカード１０５ａの更新対象プレイリスト名が「クラシック」であり、メモリカード１０５ｂの更新対象プレイリスト名が「ロック」である場合、メモリカード１０５ａについては、コンテンツデータ蓄積装置１０１に蓄積されている「クラシック」という名称のプレイリストに基づいて、メモリカード１０５ａのコンテンツデータの更新が行われる。また、メモリカード１０５ｂについては、コンテンツデータ蓄積装置１０１に蓄積されている「ロック」という名称のプレイリストに基づいて、メモリカード１０５ｂのコンテンツデータの更新が行われる。このように、本実施形態によれば、複数のメモリカードのそれぞれについて、ユーザの好みに応じて別個にコンテンツデータの更新を行うことができる。
【００３６】
図４は、本実施形態におけるコンテンツデータ更新システムの更新情報設定部２０４による更新情報設定処理を示すフローチャートである。以下、図４にしたがって、更新情報設定処理の手順について説明する。なお、以下では、メモリカード１０５ａ，１０５ｂを区別する必要がない場合は、「メモリカード１０５」として説明を行う。
【００３７】
コンテンツデータ蓄積装置１０１とメモリカード１０５を接続し、更新情報設定スイッチ３０３を操作すると、更新情報設定部２０４は、ステップＳ４０１にて、メモリカード１０５内の更新情報記憶領域２０７に、更新情報（更新対象プレイリスト名および更新条件）が既に設定されているかどうかを判断する。更新情報が既に設定されている場合、ステップＳ４０２において、その設定内容を変更するかどうか、選択することができる。ステップＳ４０２において「変更しない」を選択した場合は、ステップＳ４０３〜Ｓ４０５の更新情報設定処理（更新情報の変更）は行われない。一方、ステップＳ４０２にて「変更する」を選択した場合と、メモリカード１０５内の更新情報記憶領域２０７に更新情報が未設定であった場合は、ステップＳ４０３にて、更新対象とするプレイリストの選択を受け付ける。このとき、更新情報設定部２０４は、コンテンツデータ蓄積装置１０１のプレイリストデータ領域２０２に登録されているプレイリスト名を抽出し、図７（ａ）に示すように、その一覧をディスプレイ３０４に表示する。
【００３８】
次に、メモリカード１０５のデータを更新する際の更新条件を設定する。本実施形態では、更新条件として、プレイリスト内の曲順オプションと、プレイリストの再生時間オプションとを設定する例を示す。ただし、更新条件は、これらの具体例にのみ限定されず、任意に設定することが可能である。
【００３９】
まず、ステップＳ４０４にて、更新対象のプレイリスト内の曲順オプションを設定する。つまり、メモリカード１０５の更新時に、ここで設定した曲順に従って、プレイリストが編成される。更新情報設定部２０４は、例えば図７（ｂ）に示すように、曲順オプションの選択肢リストをディスプレイ３０４に表示する。この例では、図７（ｂ）の例では、ユーザは、「登録順」、「新しい順」、「ランダム」の３種類から、曲順オプションを選択することができる。選択された曲順は、更新情報記憶領域２０７に記憶される。ここで、「登録順」が選択されると、コンテンツデータの更新時に、更新実行部２０５により、プレイリスト内での曲順が、コンテンツデータ蓄積装置１０１に登録された順になるようにプレイリストが編成される。「新しい順」が選択されると、前記の「登録順」とは逆に、プレイリスト内での曲順が、コンテンツデータ蓄積装置１０１へ登録された時期が新しい順になるようにプレイリストが編成される。また、「ランダム」は、コンテンツデータ蓄積装置１０１に登録された順とは無関係に、更新操作の度に、乱数によって曲順が決定される。なお、本実施形態では、曲順オプションをこれらの選択肢からの選択としているが、ユーザが曲順を任意に設定できるようにしてもよい。
【００４０】
次に、ステップＳ４０５にて、メモリカード１０５のコンテンツデータを更新する際に作成するプレイリストの再生時間オプションを設定する。ここで、更新情報設定部２０４は、例えば図７（ｃ）に示すように、再生時間オプションの選択肢リストをディスプレイ３０４に表示する。図７（ｃ）の例では、ユーザは、再生時間を、「３０分」、「６０分」、「９０分」、「１２０分」、「無制限」から選択することができる。選択された再生時間は、更新情報記憶領域２０７に記憶される。更新実行部２０５は、コンテンツデータの更新時に、ここで選択された再生時間を超えないように、プレイリストを編成する。例えば、ユーザが、ある更新対象プレイリストの再生時間オプションとして「３０分」を選択した場合、コンテンツデータ蓄積装置１０１のコンテンツデータ領域２０３に、当該プレイリストのコンテンツデータとして、再生時間の合計が３０分以上に相当するコンテンツデータが蓄積されていたとする。この場合、更新実行部２０５は、コンテンツデータ領域２０３のコンテンツデータから、曲順オプションで選択された曲順で、かつ、再生時間オプションで選択された時間を超えないようにコンテンツデータを選択し、選択したコンテンツデータをメモリカード１０５のコンテンツデータ領域２０９に書き込む。また、その選択結果に従ってプレイリストを編成し、メモリカード１０５のプレイリストデータ領域２０８に登録する。なお、再生時間オプションについても、選択肢からの選択に限定されず、再生時間をユーザが自由に設定できるようにしてもよい。
【００４１】
図５、図６は本実施形態におけるコンテンツデータ更新システムの更新実行処理を示すフローチャートである。図５、図６にしたがって、更新の実行について説明する。コンテンツデータ蓄積装置１０１とメモリカード１０５とを接続し、更新実行スイッチ３０２を操作すると、更新実行部２０５は、ステップＳ５０１にて、メモリカード１０５内の更新情報記憶領域２０７に更新情報が設定されているかどうかを確認する。ステップＳ５０１で、メモリカード１０５内の更新情報記憶領域２０７に更新条件がない場合には、図４の更新情報設定処理に誘導される（ステップＳ５０７）。
【００４２】
一方、ステップＳ５０１で、メモリカード１０５内の更新情報記憶領域２０７に更新情報が記憶されている場合、更新実行部２０５は、ここに更新情報の一つとして記憶されている更新対象プレイリスト名を読み出す。そして、更新実行部２０５は、ステップＳ５０２にて、ステップＳ５０１で読み出したプレイリスト名と一致するプレイリスト名がコンテンツデータ蓄積装置１０１のプレイリストデータ領域２０２内に存在するかどうかを判断し、存在しない場合は更新実行を終了する。
【００４３】
一方、ステップＳ５０２で、ステップＳ５０１で読み出したプレイリスト名と一致するプレイリスト名がプレイリストデータ領域２０２に存在した場合、更新実行部２０５は、ステップＳ５０３にて、そのプレイリスト名が付与されたプレイリストデータがメモリカード１０５のプレイリストデータ領域２０８内に存在するか否かを判断する。存在すると判断した場合は、更新実行部２０５は、さらにステップＳ５０４にて、メモリカード１０５のプレイリストデータ領域２０８に記録されているプレイリストデータと、コンテンツデータ蓄積装置１０１のプレイリストデータ領域２０２に記録されているプレイリストデータとを比較する。
【００４４】
そして、上記のステップＳ５０４で、メモリカード１０５のプレイリストに登録されていて、かつ、コンテンツデータ蓄積装置１０１内のプレイリストにはない曲データがあった場合には、更新実行部２０５は、ステップＳ５０５にて、その曲データがコンテンツデータ蓄積装置１０１のコンテンツデータ領域２０９にあるかどうかを判断する。ステップＳ５０５の判断結果がＹＥＳの場合は、ステップＳ５０６にて、更新実行部２０５が、そのコンテンツデータをメモリカード１０５のコンテンツデータ領域２０９から削除する。なお、当該曲データは、コンテンツデータ蓄積装置１０１のコンテンツデータ領域２０３からは削除しない。ステップＳ５０５の判断結果がＮＯの場合は、ステップＳ５０６の処理をバイパスする。すなわち、当該曲データがコンテンツデータ蓄積装置１０１のコンテンツデータ領域２０９にない（ステップＳ５０５の判断結果がＮＯ）ということは、当該曲データはコンテンツデータ蓄積装置１０１以外の同種の装置またはその他の何らかの装置から、何らかの手段でメモリカード１０５へ取り込まれたものであり、バックアップが存在しない可能性もある。そのような曲データをメモリカード１０５から削除してしまうと、バックアップがない場合、その曲データが永久に失われてしまう危険性がある。そこで、ステップＳ５０５の判断結果がＮＯであれば、当該曲データを保全するために、ステップＳ５０６の処理をバイパスする。
【００４５】
続いて、図６に示すステップＳ６０１にて、更新実行部２０５は、メモリカード１０５の更新情報記憶領域２０７に曲順オプションが設定されているか否かを確認する。曲順オプションが設定されている場合は、更新実行部２０５は、ステップＳ６０２にて、プレイリストデータ領域２０２に記憶されているプレイリストデータに基づき、設定された曲順に応じて、メモリカード書き込み用のテンポラリプレイリストを作成する。テンポラリプレイリストは、コンテンツデータ蓄積装置１０１において、更新実行部２０５がアクセス可能なメモリに一時的に作成される。例えば、曲順オプションが「ランダム」の場合は、更新実行部２０５は、プレイリストデータ領域２０２に記憶されているプレイリストデータの曲データの順序をランダムに並び替えることにより、テンポラリプレイリストを作成する。また、例えば、曲順オプションが「登録順」の場合は、更新実行部２０５は、プレイリストデータ領域２０２に記憶されているプレイリストデータ内に登録されている順序のとおりに曲データを並べることにより、テンポラリプレイリストを作成する。一方、曲順オプションが設定されていない場合は、更新実行部２０５は、ステップＳ６０３にて、所定の順序で曲データが並ぶようにテンポラリリストを作成する。なお、曲順オプションが設定されていない場合に、ステップＳ６０３においてどのような曲順でテンポラリプレイリストを作成するかについては、装置の初期設定等によって任意に設定が可能である。例えば、ステップＳ６０３において、データ領域２０２に記憶されているプレイリストと同じ順序で曲データが並ぶようにテンポラリプレイリストを作成しても良いし、ランダムまたは新しい順であっても良い。
【００４６】
次に、ステップＳ６０４にて、更新実行部２０５は、メモリカード１０５の更新情報記憶領域２０７に再生時間オプションが設定されているか否かを確認する。再生時間オプションが設定されている場合は、更新実行部２０５は、テンポラリプレイリストの曲順に従って再生時間の累計を算出し、累計が設定された時間を越えると、それ以降の曲を、テンポラリプレイリストから削除する（ステップＳ６０５）。再生時間オプションが設定されていない場合は、ステップＳ６０５の処理をバイパスする。
【００４７】
次に、ステップＳ６０６にて、更新実行部２０５は、テンポラリプレイリストに含まれる曲データのうち、メモリカード１０５に存在しない曲データをコンテンツデータ領域２０３から抽出し、メモリカードに書き込む。続いて、更新実行部２０５は、ステップＳ６０７にて、テンポラリプレイリストをメモリカード１０５のプレイリストデータ領域２０２へ書き込む。以上により、更新処理は完了する。
【００４８】
なお、本実施形態では、ユーザの更新実行スイッチ３０２の操作により、更新処理を開始することとしているが、これ以外に、メモリカード１０５をコンテンツデータ蓄積装置１０１に接続することをトリガーに、自動的に更新処理を開始してもよい。
【００４９】
ここで、図８（ａ）〜図８（ｃ）にしたがって、具体的な更新実行処理について説明する。図８（ａ）は、コンテンツデータ蓄積装置１０１に記憶されているデータの一例を示す。図８（ｂ）は、コンテンツデータ更新前のメモリカードの一例を示す。図８（ｃ）は、コンテンツデータ更新後のメモリカードの一例を示す。
【００５０】
図８（ｂ）の例では、メモリカード１０５ａ内にすでに「アーティストＡ」というプレイリスト名が付与されたプレイリストデータと、そのプレイリストに含まれるコンテンツデータ（図示せず）が存在しているものとする。また、メモリカード１０５ａには、図８（ｂ）に示すように、更新情報として、「アーティストＡ」という更新対象プレイリスト名と、更新条件としての「新しい順」という曲順オプションと「３０分」という再生時間オプションとが、更新情報記憶領域２０７ａに設定されているものとする。また、図８（ｂ）に示すように、メモリカード１０５ａのプレイリストデータ領域２０８ａには、ｍ１１〜ｍ１４の４曲が登録されているものとする。いま、コンテンツデータ蓄積装置１０１内の「アーティストＡ」のプレイリストには、図８（ａ）に模式的に示すように、「ｍ１」〜「ｍ７」という７曲を含むプレイリストデータがプレイリストデータ領域２０２に登録されているものとする。また、図８（ａ）に示すように、これらの曲は、リストの上位ほど古く登録されたものとなっている。
【００５１】
ここで、更新情報記憶領域２０７ａの更新情報を用いてメモリカード１０５を更新する場合、更新実行部２０５は、更新対象プレイリスト名として設定されている「アーティストＡ」と一致するプレイリスト名が、コンテンツデータ蓄積装置１０１のプレイリストデータ領域２０２にあるか否かを判断する。図８（ａ）の例では、「アーティストＡ」という名称のプレイリストがプレイリストデータ領域２０２に存在するので、更新実行部２０５は、この「アーティストＡ」のプレイリストに基づいて、テンポラリプレイリスト８０３を作成する。
【００５２】
ここで、更新条件として設定されている曲順オプションが「新しい順」となっているので、更新実行部２０５は、「アーティストＡ」のプレイリストに含まれる曲を新しい順に並べることにより、テンポラリプレイリスト８０３を作成する。図８（ａ）から分かるように、「新しい順」の曲順オプションに従って作成されたテンポラリプレイリスト８０３は、新しく登録された曲が上位になっている。さらに、再生時間オプションが「３０分」に設定されているので、更新実行部２０５は、テンポラリプレイリスト８０３の１曲目「ｍ７」から再生時間の累計を計算し、累計が３０分を超えた曲以降の曲を、テンポラリプレイリスト８０３から削除する。なお、図示はしていないが、プレイリストデータには、各曲の再生時間に関するデータも含まれている。この結果、図８（ａ）に示すように、テンポラリプレイリスト８０３に登録されている曲が、「ｍ７」、「ｍ６」、「ｍ５」、「ｍ４」、「ｍ３」の５曲となったものとする。つまり、これらの５曲の再生時間の合計が３０分であり、これにさらに「ｍ２」の再生時間を加算すると、再生時間の合計が３０分を超えるからである。
【００５３】
次に、更新実行部２０５は、テンポラリプレイリスト８０３の内容を、メモリカード１０５ａのプレイリストデータ領域２０８ａに書き込む。更新実行部２０５は、さらに、テンポラリプレイリスト８０３に含まれる曲のうち、メモリカード１０５ａのコンテンツデータ領域２０９ａに存在しない曲のデータを、ハードディスク１０２のコンテンツデータ領域２０３から抽出し、メモリカード１０５ａのコンテンツデータ領域２０９ａへ書き込む。以上の処理により、更新後のメモリカード１０５ａ内の「アーティストＡ」のプレイリストの内容は、図８（ｃ）に示すとおりである。
【００５４】
以上のように、本実施形態におけるコンテンツデータ更新システムは、コンテンツデータを利用するクライアント装置と、蓄積したコンテンツデータに基づいて前記クライアント装置のコンテンツデータを更新するコンテンツデータ蓄積装置とを含む。前記コンテンツデータ蓄積装置は、コンテンツデータと、前記コンテンツデータの集合をそれぞれ管理するための蓄積コンテンツ管理情報と、前記コンテンツデータを管理単位で特定するための蓄積コンテンツ特定情報とを対応付けて、複数組記憶することが可能な蓄積コンテンツ記憶媒体と、前記クライアント装置との間でデータ入出力を行う入出力部と、前記クライアント装置のコンテンツデータの更新を行う制御部とを備える。また、前記クライアント装置は、当該クライアント装置で利用するコンテンツデータと、当該コンテンツデータを管理するためのクライアントコンテンツ管理情報と、前記コンテンツデータを管理単位で特定するためのクライアントコンテンツ特定情報とを対応付けて記憶するクライアントコンテンツ記憶媒体を備え、前記コンテンツデータ蓄積装置の制御部が、前記入出力部に接続されたクライアント装置のコンテンツデータのうち更新対象として指定された一または複数の管理単位のコンテンツデータのクライアントコンテンツ特定情報を取得し、取得されたクライアントコンテンツ特定情報と一致する蓄積コンテンツ特定情報が前記蓄積コンテンツ記憶媒体に記憶されている場合に、当該クライアントコンテンツ特定情報と一致した蓄積コンテンツ特定情報が特定する管理単位に含まれるコンテンツデータに基づいて、前記クライアント装置のコンテンツデータを更新する。以上の構成を備えたことによって、本実施形態におけるコンテンツデータ更新システムは、１台のコンテンツデータ蓄積装置によって、複数のクライアント装置ごとに保持されたそれぞれの更新情報に応じて、複数のクライアント装置のコンテンツデータを、ユーザの好み等に応じて個別に更新することができる。
【００５５】
また、上記において説明したように、更新情報をメモリカード１０５内に保持することにより、このメモリカード１０５を他のコンテンツデータ蓄積装置でも更新することができる。例えば、ユーザａが、「マイベストセレクション」というプレイリスト名を付けて、自分のお気に入りの曲を集めたプレイリストをコンテンツデータ蓄積装置１０１によって作成し、メモリカード１０５に登録しているものとする。そして、そのメモリカード１０５を、例えば友人であるユーザｂが所有するコンテンツデータ蓄積装置（コンテンツデータ蓄積装置１０１と同種）に装着したものとする。ここで、ユーザｂのコンテンツデータ蓄積装置に、「マイベストセレクション」という名称のプレイリストが存在する場合、当該プレイリストとそれに対応するコンテンツデータが、更新条件に合致する範囲で、メモリカード１０５にダウンロードされる。これにより、ユーザａはユーザｂが推奨する曲、すなわちユーザｂが所有するコンテンツデータ蓄積装置内に存在する「マイベストセレクション」という名称のプレイリストに登録されているコンテンツデータを容易に試聴することが可能となる。なお、この場合、図５のＳ５０５，Ｓ５０６で説明したとおり、ユーザａのメモリカード１０５にもともと記録されていたコンテンツデータであって、ユーザｂのコンテンツデータ蓄積装置に登録されていたプレイリストに含まれないコンテンツデータは、削除されずにメモリカード１０５に保持される。このように、複数のコンテンツデータ蓄積装置において、メモリカード１０５を共用することも可能である。
【００５６】
また、本実施形態では、更新条件として曲順オプションを設定することができる。これにより、例えば、曲順オプションとして「新しい順」を選択すれば、コンテンツデータ蓄積装置１０１に登録された新曲を、メモリカード１０５へ自動的に更新することができる。
【００５７】
また、本実施形態では、更新条件として再生時間オプションを設定することも可能である。これにより、例えば通勤時間や通学時間の長さにあわせてメモリカード１０５内のプレイリストを作成し、更新することができる。
【００５８】
なお、本実施形態では、更新情報をメモリカード１０５内の更新情報記憶領域２０７に保持することとしている。しかし、コンテンツデータ蓄積装置１０１側に更新情報を保持しても良い。この場合、コンテンツデータ蓄積装置１０１内に、メモリカード１０５ａ，１０５ｂ，…を識別するための、メモリカード１０５ａ，１０５ｂ，…ごとにユニークに割り当てられた識別子を保持すると共に、メモリカード１０５ａ，１０５ｂ，…のそれぞれについての更新情報を、この識別子に対応付けて記憶する。この場合、コンテンツデータ蓄積装置１０１にコンテンツデータの更新のためにメモリカード１０５ａ，１０５ｂ，…のいずれかが接続されると、コンテンツデータ蓄積装置１０１の制御部１０３が、入出力部１０４を介して、接続されたメモリカードの識別子を読み出し、読み出した識別子に対応して記憶されている更新情報に基づいて、接続されたメモリカード１０５のコンテンツデータ更新を行う。
【００５９】
また、上記の説明では、更新対象として一つのプレイリストを選択する例を説明したが、複数のプレイリストを選択できるようにしてもよい。その場合、選択した複数のプレイリストの組み合わせとして、例えば、それら複数のプレイリストに共通して含まれる曲（積集合）、あるいはそれら複数のプレイリストのいずれかに含まれる曲（和集合）、を含むプレイリストをテンポラリプレイリストとして作成し、それをメモリカード１０５へ書き込むようとしてもよい。
【００６０】
なお、上記の説明では、更新対象のコンテンツデータをプレイリスト名で特定する例を示したが、任意のキーワードで検索することにより、コンテンツデータを選択するようにしてもよい。
【００６１】
なお、上記の説明では、更新条件の例として、曲順オプションと再生時間オプションとを例示したが、更新条件の数および種類は任意である。また、条件の組み合わせ方（ＡＮＤ条件、ＯＲ条件）も任意である。例えば、あるプレイリストに含まれ、しかも録音時期が新しいもの、などの条件設定も可能である。
【産業上の利用可能性】
【００６２】
本発明は、複数のクライアント装置におけるコンテンツデータを、個々のクライアント装置のユーザの好み等に応じて個別に更新することが可能なコンテンツデータ蓄積装置およびコンテンツデータ更新システムとして有用である。
【図面の簡単な説明】
【００６３】
【図１】図１は、本発明の実施の形態１におけるコンテンツデータ更新システムの構成図である。
【図２】図２は、同コンテンツデータ更新システムのデータ記憶領域を示す図である。
【図３】図３は、同コンテンツデータ更新システムのコンテンツデータ蓄積装置の操作パネル図である。
【図４】図４は、同コンテンツデータ更新システムの更新条件設定フローチャートである。
【図５】図５は、同コンテンツデータ更新システムの更新実行フローチャートである。
【図６】図６は、同コンテンツデータ更新システムの更新実行フローチャートである。
【図７】図７（ａ）は、同コンテンツデータ更新システムの更新条件設定のプレイリスト選択の例を示す図である。図７（ｂ）は、同コンテンツデータ更新システムの更新条件設定の曲順オプション選択の例を示す図である。図７（ｃ）は、同コンテンツデータ更新システムの更新条件設定のプレイリスト再生時間オプション選択の例を示す図である。
【図８】図８（ａ）は、コンテンツデータ蓄積装置１０１に記憶されているデータの一例を示す図である。図８（ｂ）は、コンテンツデータ更新前のメモリカードの一例を示す図である。図８（ｃ）は、コンテンツデータ更新後のメモリカードの一例を示す図である。
【符号の説明】
【００６４】
１０１  コンテンツデータ蓄積装置
１０２  ハードディスク
１０３  制御部
１０４  入出力部
１０５  メモリカード
１０６  ＣＤ−ＲＯＭドライブ
１０７  信号処理部
１０８  表示部
１０９  操作部
１１０  アンプ
１１１  スピーカ
１１２  ＬＡＮ制御部
１１３  パーソナルコンピュータ
【図１】
2008077820.tif 000003
【図２】
2008077820.tif 000004
【図３】
2008077820.tif 000005
【図４】
2008077820.tif 000006
【図５】
2008077820.tif 000007
【図６】
2008077820.tif 000008
【図７】
2008077820.tif 000009
【図８】
2008077820.tif 000010